(57)【要約】【課題】  手間をかけることなく、特定のグループ内で携帯電話用待ち受け画面を共有することができる携帯電話用待ち受け画面更新システム及び待ち受け画面更新サーバを提供すること。【解決手段】本発明にかかる待ち受け画面更新システムは、少なくとも第１の携帯電話２００、第２の携帯電話３００及びサーバ１００を備えた携帯電話用待ち受け画面更新システムである。携帯電話２００は、待ち受け画面データを入力する入力手段、入力された待ち受け画面データを送信する通信手段を備える。携帯電話３００は、送信される待ち受け画面データを受信する通信手段、受信する待ち受け画面データを表示する表示手段を備える。サーバ１００は、送信された待ち受け画面データを受信し、予め関連付けられた携帯電話へ送信する通信手段、送信された待ち受け画面データを記憶する記憶手段を備える。このような構成により、携帯電話用待ち受け画面を共有することが可能となる。【選択図】図２
2005229164.tif 000002
【特許請求の範囲】
【請求項１】
少なくとも第一の携帯電話、第２の携帯電話及びサーバを備えた携帯電話用待ち受け画面更新システムであって、
前記第１の携帯電話は、待ち受け画面データを入力する入力手段と、前記入力手段により入力された待ち受け画面データを前記サーバへ送信を行う通信手段を備え、
前記第２の携帯電話は、前記サーバより送信される待ち受け画面データを受信する通信手段と、前記通信手段により受信する待ち受け画面データを表示する表示手段を備え、
前記サーバは、前記第１の携帯電話より送信された待ち受け画面データを受信し、当該第１の携帯電話と予め関連付けられた第２の携帯電話へ送信する通信手段と、前記第１の携帯電話より送信された待ち受け画面データを記憶する記憶手段を備えることを特徴とする携帯電話用待ち受け画面更新システム。
【請求項２】
互いに予め関連付けられた３台以上の携帯電話及びサーバを備えた携帯電話用待ち受け画面更新システムであって、
前記携帯電話は、待ち受け画面を入力する入力手段と、前記入力手段により入力された待ち受け画面データを前記サーバへ送信を行い、さらに前記サーバより送信される待ち受け画面データを受信する通信手段と、前記通信手段により受信する待ち受け画面データを表示する表示手段を備え、
前記サーバは、前記携帯電話のうちいずれか１つの携帯電話より待ち受け画面データを受信した場合には、予め関連付けられた他の複数の携帯電話に対して送信する通信手段と、前記携帯電話より送信された待ち受け画面データを記憶する記憶手段を備えることを特徴とする携帯電話用待ち受け画面更新システム。
【請求項３】
前記第１の携帯電話は画像撮影用のカメラを備えており、
前記待ち受け画面は、前記カメラにより撮影された画像が利用されていることを特徴とする請求項１または２に記載の携帯電話待ち受け画面更新システム。
【請求項４】
第１の携帯電話、第２の携帯電話との間で通信を行う待ち受け画面更新サーバであって、
前記第１の携帯電話から待ち受け画面データを受信し、第１の携帯電話と予め関連付けられた第２の携帯電話へ待ち受け画面データを送信する通信手段と、
前記携帯電話より送信された待ち受け画面データを記憶する記憶手段を備えた待ち受け画面更新サーバ。
【請求項５】
３台以上の携帯電話との間で通信を行う待ち受け画面更新サーバであって、
前記携帯電話のうちいずれか１つの携帯電話より待ち受け画面データを受信した場合には、予め関連付けられた他の複数の携帯電話に対して送信する通信手段と、前記携帯電話より送信された待ち受け画面データを記憶する記憶手段を備える待ち受け画面更新サーバ。
【請求項６】
前記待ち受け画面は、カメラにより撮影された画像が利用されていることを特徴とする請求項４または５に記載の待ち受け画面更新サーバ。
【発明の詳細な説明】
【技術分野】
【０００１】
本発明は、携帯電話用待ち受け画面更新システム及び待ち受け画面更新サーバに関するものであり、より詳細には、通信を利用した待ち受け画面更新システム及び待ち受け画面更新サーバに関する。
【背景技術】
【０００２】
携帯電話は、近年急速に普及してきている。また、普及に伴い携帯電話の性能も目覚しく向上してきた。携帯電話の主な用途は、通話や電子メールであり、最近はそれに加えてアプリケーションソフトウェアによるゲームやインターネットに接続してホームページを見るなどその利用方法も多様化している。しかし、常時利用することができる携帯電話とはいえ、利用している時間よりは利用していない時間の方が長い。そこで、そんな携帯電話を利用していない未使用時でもコストや労力をかけることなく楽しめるものとして待ち受け画面表示が挙げられる。
【０００３】
近年の折り畳み型の携帯電話の増加は、未使用時に画面を見ることができないため、待ち受け画面は不要になりかけていた。ところが、折り畳み型携帯電話にも背面液晶が付くものが現れ、さらにはリボルバー型携帯電話やデザインに趣向をこらしたストレート型携帯電話など、未使用時も液晶画面を表示し、見ることができる携帯電話が再び増加してきている。そのため、待ち受け画面を楽しみたいという需要も今後さらに増加が見込まれる。
【０００４】
携帯電話の待ち受け画面は、携帯電話に内蔵されているカメラで撮影されたものを利用したり、インターネットからダウンロードした画像を利用したりすることが可能である。インターネットからダウンロードする方法として、過去の非選択数の多い順にランキングし、人気の高い待ち受け画面をダウンロードしやすくするなど、多くの手法が提案されている（例えば、特許文献１など）。
【特許文献１】特開２００２−１７６５１６号公報
【発明の開示】
【発明が解決しようとする課題】
【０００５】
しかしながら、携帯電話の待ち受け画面は、自分の好みのものにしたいという要求がある一方で、あまり多くの人が使っているものと同じではない方がいいという要求もある。さらには、親しい友人などの特定のグループ内のみで待ち受け画面を共有したいという要求もあり、そのような要求を実現するには、待ち受け画面の配信情報を通話やメールなどで連絡して各自で同じ待ち受け画面をダウンロードするなど、手間のかかるものであった。
【０００６】
本発明は、そのような課題を解決するためになされたものであり、手間をかけることなく、特定のグループ内で携帯電話用待ち受け画面を共有することができる携帯電話用待ち受け画面更新システム及び待ち受け画面更新サーバを提供することを目的とする。
【課題を解決するための手段】
【０００７】
本発明にかかる待ち受け画面更新システムは、少なくとも第一の携帯電話、第２の携帯電話及びサーバを備えた携帯電話用待ち受け画面更新システムであって、前記第１の携帯電話は、待ち受け画面データを入力する入力手段と、前記入力手段により入力された待ち受け画面データを前記サーバへ送信を行う通信手段を備え、前記第２の携帯電話は、前記サーバより送信される待ち受け画面データを受信する通信手段と、前記通信手段により受信する待ち受け画面データを表示する表示手段を備え、前記サーバは、前記第１の携帯電話より送信された待ち受け画面データを受信し、当該第１の携帯電話と予め関連付けられた第２の携帯電話へ送信する通信手段と、前記第１の携帯電話より送信された待ち受け画面データを記憶する記憶手段を備えることを特徴とする携帯電話用待ち受け画面更新システムである。このような構成により、手間をかけることなく、特定のグループ内で携帯電話用待ち受け画面を共有することが可能となる。
【０００８】
本発明にかかる待ち受け画面更新システムは、互いに予め関連付けられた３台以上の携帯電話及びサーバを備えた携帯電話用待ち受け画面更新システムであって、前記携帯電話は、待ち受け画面を入力する入力手段と、前記入力手段により入力された待ち受け画面データを前記サーバへ送信を行い、さらに前記サーバより送信される待ち受け画面データを受信する通信手段と、前記通信手段により受信する待ち受け画面データを表示する表示手段を備え、前記サーバは、前記携帯電話のうちいずれか１つの携帯電話より待ち受け画面データを受信した場合には、予め関連付けられた他の複数の携帯電話に対して送信する通信手段と、前記携帯電話より送信された待ち受け画面データを記憶する記憶手段を備えることを特徴とする携帯電話用待ち受け画面更新システムである。このような構成により、グループ内のどの携帯電話からも待ち受け画面の登録及び更新が可能となる。
【０００９】
上述の第１の携帯電話は画像撮影用のカメラを備えており、前記待ち受け画面は、前記カメラにより撮影された画像が利用されていることを特徴としてもよい。こうすることにより、カメラにより撮影された待ち受け画面を共有することが可能となる。
【００１０】
本発明にかかる待ち受け画面更新サーバは、第１の携帯電話、第２の携帯電話との間で通信を行う待ち受け画面更新サーバであって、前記第１の携帯電話から待ち受け画面データを受信し、第１の携帯電話と予め関連付けられた第２の携帯電話へ待ち受け画面データを送信する通信手段と、前記携帯電話より送信された待ち受け画面データを記憶する記憶手段を備えた待ち受け画面更新サーバである。このような構成により、手間をかけることなく、特定のグループ内で携帯電話用待ち受け画面を共有することが可能となる。
【００１１】
本発明にかかる待ち受け画面更新サーバは、３台以上の携帯電話との間で通信を行う待ち受け画面更新サーバであって、前記携帯電話のうちいずれか１つの携帯電話より待ち受け画面データを受信した場合には、予め関連付けられた他の複数の携帯電話に対して送信する通信手段と、前記携帯電話より送信された待ち受け画面データを記憶する記憶手段を備える待ち受け画面更新サーバである。このような構成により、グループ内のどの携帯電話からも待ち受け画面の登録及び更新が可能となる。
【００１２】
上述の待ち受け画面は、カメラにより撮影された画像が利用されていることを特徴としてもよい。こうすることにより、カメラにより撮影された待ち受け画面を共有することが可能となる。
【発明の効果】
【００１３】
本発明によれば、手間をかけることなく、特定のグループ内で携帯電話用待ち受け画面を共有することができる携帯電話用待ち受け画面更新システム及び待ち受け画面更新サーバを提供することが可能となる。
【発明を実施するための最良の形態】
【００１４】
発明の実施の形態１．
図１は、本発明の実施の形態１にかかる携帯電話用待ち受け画面更新システムの全体構成を示す図である。サーバ１００は、専用のサーバであり、インターネット回線を通じて携帯電話２００及び携帯電話３００と各種データを送受信する通信手段と、配信用待ち受け画面の画像データを記憶する記憶手段を有する。また、電子メールを送受信するメールサーバとしての機能を備えていてもよい。ここでサーバ１００は、１台のみとは限らず、待ち受け画面情報を共有するグループや待ち受け画面の画像データごとに複数あってもよいし、メールサーバを別サーバとしてもよい。ここでは、サーバ１００は１台でメールサーバ機能も備えているものとする。
【００１５】
携帯電話２００は、インターネット回線を通じてサーバ１００とインターネット通信及びメールの送受信を行う通信手段とメールのテキストを入力する入力手段を備える携帯電話であり、本発明の実施の形態１では、待ち受け画面配信用として利用される。待ち受け画面の配信という用途のため、携帯電話２００は、カメラなどの画像入力手段を備えることが望ましい。携帯電話３００は、インターネット回線を通じてサーバ１００とインターネット通信及びメールの送受信を行う通信手段と受信した待ち受け画面及びメールのテキストを表示する表示手段を備えた携帯電話であり、本発明の実施の形態１では、待ち受け画面受信用として利用される。ここで携帯電話３００は、１台のみとは限らず、複数台存在してもよい。
【００１６】
続いて、図２におけるシーケンス図を用いて、本発明の実施の形態１にかかるサーバ１００、携帯電話２００、及び携帯電話３００の処理について説明する。
【００１７】
まず、携帯電話２００は、インターネット回線を通じて通信手段によりサーバ１００と接続し（Ｓ１０１）、待ち受け画面配信用アプリケーションソフトウェアのダウンロードを実行する（Ｓ１０２）。ここでのアプリケーションソフトウェアは、待ち受けグループの作成、登録、及び配信を行うためのアプリケーションソフトウェアである。その後、アプリケーションソフトウェアを実行し、グループ作成のリクエストをサーバ１００へ送信する（Ｓ１０３）。
【００１８】
リクエストを受けたサーバ１００は、サーバ内にグループ情報を作成する（Ｓ１０４）。ここでグループ情報は、携帯電話を個別に識別でき、かつデータを配信することができる情報であり、携帯電話２００の電話番号やメールアドレスなどが望ましい。グループ情報が作成されるとサーバ１００は、携帯電話２００へグループ情報を送信する（Ｓ１０５）。
【００１９】
続いて、携帯電話３００は、サーバ１００内のグループデータダウンロード用のアドレスにダウンロード情報のリクエストを送信する（Ｓ１０６）。ここでは、携帯電話３００のメールアドレスがサーバ１００へ送信されればよいので、メール本文は空のテキストデータでもよい。
【００２０】
リクエストを受けたサーバ１００は、携帯電話３００へ、アプリケーションソフトウェアをダウンロードするためにアクセスするページの所在位置を、ＵＲＬ（Ｕｎｉｖｅｒｓａｌ  Ｒｅｓｏｕｒｃｅ  Ｌｏｃａｔｏｒ）等の形式でテキストデータにてメールで送信する（Ｓ１０７）。
【００２１】
携帯電話３００は、そのメールを受信し、メールを開く（Ｓ１０８）。メール本文にはメールの中のアクセス情報が記述されており、クリック等の簡単な動作でアプリケーションソフトウェアをダウンロードするためのページをアクセスすることが可能になっている。メール内のアクセス情報をクリックすることにより（Ｓ１０９）、サーバ１００内のアプリケーションソフトウェアをダウンロードするためのページへアクセスし（Ｓ１１０）、アプリケーションソフトウェアのダウンロードを行う（Ｓ１１１）。ここでのアプリケーションソフトウェアは、待ち受け画面の設定、更新、情報確認を行うためのアプリケーションソフトウェアである。その後、アプリケーションソフトウェアを実行し、待ち受け画面の設定を行う（Ｓ１１２）。実行されたアプリケーションソフトウェアにより、携帯電話３００は、サーバ１００へアクセスし、先ほど、携帯電話２００により作成されたグループへの参加の情報を送信する（Ｓ１１３）。
【００２２】
サーバ１００は、携帯電話３００から送信された情報に基づき、グループ情報に携帯電話３００の情報を追加登録する（Ｓ１１４）。登録したグループ情報を、携帯電話３００へ送信し（Ｓ１１５）、グループへの携帯電話３００の追加登録処理が完了する。同様の処理を繰り返してグループへ複数の携帯電話の追加登録処理を行うことが可能である。
【００２３】
続いて、図３におけるシーケンス図を用いて、待ち受け画面の更新と共有の方法について説明する。本発明の実施の形態１では、待ち受け画面の更新は、携帯電話２００からのみ行うことが可能である。
【００２４】
まず、携帯電話２００で共有したい待ち受け画面データを作成する（Ｓ２０１）。ここでの待ち受け画面データは、内蔵のカメラを用いて撮影されたものでもよいし、インターネットやＰＣ（Ｐｅｒｓｏｎａｌ  Ｃｏｍｐｕｔｅｒ）等から入力したものでもよい。作成された待ち受け画面データに、必要であればグループのメンバーに伝えたい内容を文章でテキストデータとして入力して加え、サーバ１００へ送信する（Ｓ２０２）。この送信処理は、先ほどダウンロードしたアプリケーションソフトウェアが行ってもよいし、メールを利用して行ってもよい。メールを利用して行った場合は、更新を行ったのがグループの配信用携帯電話かどうかをサーバ１００が確認する必要がある。
【００２５】
サーバ１００は、受信した待ち受け画面データ及びテキストデータを、更新する処理を行う（Ｓ２０３）。このとき、過去の更新履歴を残しておくようにしてもよい。更新されたデータはサーバ内の記憶手段により記憶される。
【００２６】
携帯電話３００は、携帯電話のフリップを開く等の特定の条件下で情報更新の処理を行う（Ｓ２０４）。情報更新の処理が行われると、携帯電話３００はサーバ１００へ待ち受け画面データが更新されたかどうかのリクエストを送信する（Ｓ２０５）。リクエストを受けたサーバ１００は、待ち受け画面データが更新されている場合、携帯電話３００へ、更新された待ち受け画面データ及びテキストデータを送信する（Ｓ２０６）。携帯電話３００は、受信した待ち受け画面データにより待ち受け画面を更新する（Ｓ２０７）。このようにして、グループ内で待ち受け画面を共有することが可能となる。
【００２７】
発明の実施の形態２．
待ち受け画面の配信及び受信を一方向ではなく、双方向にした例である。図４は、本発明の実施の形態２にかかる携帯電話用待ち受け画面更新システムの全体構成を示す図である。サーバ４００は、専用のサーバであり、インターネット回線を通じて携帯電話５００及び携帯電話６００と各種データを送受信する通信手段と、配信用待ち受け画面の画像データを記憶する記憶手段を有する。また、電子メールを送受信するメールサーバとしての機能を備えていてもよい。ここでサーバ４００は、１台のみとは限らず、待ち受け画面情報を共有するグループや待ち受け画面の画像データごとに複数あってもよいし、メールサーバを別サーバとしてもよい。ここでは、サーバ４００は１台でメールサーバ機能も備えているものとする。
【００２８】
携帯電話５００及び携帯電話６００は、インターネット回線を通じてサーバ４００とインターネット通信及びメールの送受信を行う通信手段とメールのテキストを入力する入力手段と受信した待ち受け画面及びメールのテキストを表示する表示手段を備える携帯電話であり、本発明の実施の形態２では、待ち受け画面配信及び受信用として利用される。待ち受け画面の配信という用途のため、携帯電話５００及び携帯電話６００は、カメラなどの画像入力手段を備えることが望ましい。ここでは携帯電話５００がグループ作成し、携帯電話６００が誘われてグループに参加するものとして記述するが、逆に携帯電話６００がグループを作成し、携帯電話５００が誘われてグループに参加してもよい。また、誘われてグループに参加する携帯電話は１台に限らず複数台でもよい。
【００２９】
続いて、図５におけるシーケンス図を用いて、本発明の実施の形態２にかかる待ち受け画面の更新と共有の方法について説明する。本発明の実施の形態１では、待ち受け画面の更新は、携帯電話５００及び携帯電話６００の両方から行うことが可能である。
【００３０】
まず、携帯電話５００は、インターネット回線を通じて通信手段によりサーバ４００と接続し（Ｓ３０１）、待ち受け画面配信用アプリケーションソフトウェアのダウンロードを実行する（Ｓ３０２）。ここでのアプリケーションソフトウェアは、待ち受けグループの作成、登録、配信及び、待ち受け画面の設定、更新、情報確認を行うためのアプリケーションソフトウェアである。その後、アプリケーションソフトウェアを実行し、グループ作成のリクエストをサーバ４００へ送信する（Ｓ３０３）。
【００３１】
リクエストを受けたサーバ４００は、サーバ内にグループ情報を作成する（Ｓ３０４）。ここでグループ情報は、携帯電話を個別に識別でき、かつデータを配信することができる情報であり、携帯電話５００の電話番号やメールアドレスなどが望ましい。グループ情報が作成されるとサーバ４００は、携帯電話５００へグループ情報を送信する（Ｓ３０５）。
【００３２】
続いて、携帯電話５００は、待ち受け画面を共有するグループに誘いたい友達の携帯電話を送信先に指定し、サーバ４００へメールを送信する（Ｓ３０６）。ここでは送信先は携帯電話６００のメールアドレスとする。携帯電話５００からのメールを受信したサーバ４００は、メールアドレスを保存し（Ｓ３０７）、携帯電話６００へアプリケーションソフトウェアをダウンロードするためにアクセスするページの所在位置を、ＵＲＬ等の形式でテキストデータにてメールで送信する（Ｓ３０８）。
【００３３】
携帯電話６００は、そのメールを受信し、メールを開く（Ｓ３０９）。メール本文にはメールの中のアクセス情報が記述されており、クリック等の簡単な動作でアプリケーションソフトウェアをダウンロードするためのページをアクセスすることが可能になっている。メール内のアクセス情報をクリックすることにより（Ｓ３１０）、サーバ４００内のアプリケーションソフトウェアをダウンロードするためのページへアクセスし（Ｓ３１１）、アプリケーションソフトウェアのダウンロードを行う（Ｓ３１２）。ここでのアプリケーションソフトウェアは、待ち受けグループの作成、登録、配信及び、待ち受け画面の設定、更新、情報確認を行うためのアプリケーションソフトウェアであり、双方向という観点から携帯電話５００がダウンロードしたものと同じアプリケーションソフトウェアであることが好ましい。その後、アプリケーションソフトウェアを実行し、待ち受け画面の設定を行う（Ｓ３１３）。実行されたアプリケーションソフトウェアにより、携帯電話６００は、サーバ４００へアクセスし、先ほど、携帯電話５００により作成されたグループへの参加の情報を送信する（Ｓ３１４）。
【００３４】
サーバ４００は、携帯電話６００から送信された情報に基づき、グループ情報に携帯電話６００の情報を追加登録する（Ｓ３１５）。登録したグループ情報を、携帯電話６００へ送信し（Ｓ３１６）、グループへの携帯電話３００の追加登録処理が完了する。
【００３５】
携帯電話５００あるいは携帯電話６００が、誘いたい友達の携帯電話を送信先に指定し、サーバ４００へメールを送信するという同様の処理を繰り返すことにより、グループへ複数の携帯電話の追加登録処理を行うことが可能である。
【００３６】
続いて、図６におけるシーケンス図を用いて、待ち受け画面の更新と共有の方法について説明する。本発明の実施の形態２では、待ち受け画面の更新は、携帯電話５００及び携帯電話６００のどちらからでも行うことが可能である。ここでは、携帯電話５００で待ち受け画面の更新を行い、携帯電話６００で共有するものとして記述するが、逆に携帯電話６００で待ち受け画面の更新を行い、携帯電話５００で共有してもよい。
【００３７】
まず、携帯電話５００で共有したい待ち受け画面データを作成する（Ｓ４０１）。ここでの待ち受け画面は、内蔵のカメラを用いて撮影されたものでもよいし、インターネットやＰＣ等から入力したものでもよい。作成された待ち受け画面データに、必要であればグループのメンバーに伝えたい内容を文章でテキストデータとして入力して加え、サーバ４００へ送信する（Ｓ４０２）。この送信処理は、先ほどダウンロードしたアプリケーションソフトウェアが行ってもよいし、メールを利用して行ってもよい。メールを利用して行った場合は、更新を行ったのがグループの配信用携帯電話かどうかをサーバ４００が確認する必要がある。
【００３８】
サーバ４００は、受信した待ち受け画面データ及びテキストデータを、更新する処理を行う（Ｓ４０３）。このとき、過去の更新履歴を残しておくようにしてもよい。更新されたデータはサーバ内の記憶手段により記憶される。
【００３９】
携帯電話６００は、携帯電話のフリップを開く等の特定の条件下で情報更新の処理を行う（Ｓ４０４）。情報更新の処理が行われると、携帯電話６００はサーバ４００へ待ち受け画面データが更新されたかどうかのリクエストを送信する（Ｓ４０５）。リクエストを受けたサーバ４００は、待ち受け画面データが更新されている場合、携帯電話６００へ、更新された待ち受け画面データ及びテキストデータを送信する（Ｓ４０６）。携帯電話６００は、受信した待ち受け画面データにより待ち受け画面を更新する（Ｓ４０７）。このようにして、グループ内で待ち受け画面を共有することが可能となる。
【００４０】
発明の実施の形態３．
本発明では、待ち受け画面共有時に広告を配信することができる。通常の広告配信は待ち受け状態のときにアプリケーションソフトウェア側から広告の表示されているホームページを表示するようにすればよい。ここでは、図７におけるシーケンス図を用いて、待ち受け状態からホームページを表示することができない場合の広告配信の処理について説明する。
【００４１】
まず、サーバ１００が、携帯電話２００へ、広告の内容をテキストデータにより送信する（Ｓ５０１）。携帯電話２００は、テキストデータを受信すると、テキストにより広告が表示され（Ｓ５０２）、クリックなどにより受信したという情報がサーバ１００へ送信できるようになっている。クリックする（Ｓ５０３）ことにより、サーバ１００へ情報が送信される（Ｓ５０４）。受信したサーバ１００は、広告の表示されているホームページの所在場所をＵＲＬ形式にてメールで携帯電話２００へ送信する（Ｓ５０５）。
【００４２】
メールを受信した携帯電話２００は、メールを開くと（Ｓ５０６）、メールには上述のＵＲＬが記述されており、ＵＲＬをクリックする（Ｓ５０７）ことにより携帯電話２００に広告が表示される（Ｓ５０８）。
【００４３】
このようにして、待ち受け状態から直接広告が表示されているホームページを表示することができない場合でも、メールを介することにより、広告を表示することが可能となる。
【００４４】
その他の発明の実施の形態．
上述の例では、待ち受け画面を静止画像としたが、これを待ち受け時の動画にしてもよい。
また、上述の例では、共有するデータを携帯電話の待ち受け画面としたがこれをＰＣのスクリーンセーバーなどにしてもよい。
【図面の簡単な説明】
【００４５】
【図１】本発明にかかる携帯電話用待ち受け画面更新システムの全体構成を示す図である。
【図２】本発明にかかるサーバ及び携帯電話の処理を示すシーケンス図である。
【図３】本発明にかかるサーバ及び携帯電話の処理を示すシーケンス図である。
【図４】本発明にかかる携帯電話用待ち受け画面更新システムの全体構成を示す図である。
【図５】本発明にかかるサーバ及び携帯電話の処理を示すシーケンス図である。
【図６】本発明にかかるサーバ及び携帯電話の処理を示すシーケンス図である。
【図７】本発明にかかるサーバ及び携帯電話の処理を示すシーケンス図である。
【符号の説明】
【００４６】
１００  サーバ
２００  携帯電話（配信用）
３００  携帯電話（受信用）
４００  サーバ
５００  携帯電話（配信及び受信用）
６００  携帯電話（配信及び受信用）
【図１】
2005229164.tif 000003
【図２】
2005229164.tif 000004
【図３】
2005229164.tif 000005
【図４】
2005229164.tif 000006
【図５】
2005229164.tif 000007
【図６】
2005229164.tif 000008
【図７】
2005229164.tif 000009